(57)【要約】【課題】携帯性を損なうことなく必要なときにスタンドとして使用することができる携帯情報機器用ケースを提供する。【解決手段】携帯情報機器用ケース１は、正面に表示部を有する携帯情報機器に着脱可能に装着されるケースであり、携帯情報機器の少なくとも背面を覆うケース体２と、ケース体２にその一方の端部が連結されたリング状の支脚３と、ケース体２と支脚３とを携帯情報端末２１の背面に対して平行な第１軸（Ａ１）回り及び当該背面に対して垂直な第２軸（Ａ２）回りに相対的に回動可能に連結する二軸ヒンジ機構４と、を有する。支脚３を起こした状態にすることにより、携帯情報端末を立てて使用するためのスタンドとして使用できる。スタンドとして使用しない時には支脚３を倒してコンパクトに折り畳むことができるので、携帯性が良い。【選択図】図１
2010268237.tif 000002
【特許請求の範囲】
【請求項１】
正面に表示部を有する携帯情報機器に着脱可能に装着されるケースであって、
前記携帯情報機器の少なくとも背面を覆うケース体と、
前記ケース体にその一方の端部が連結されたリング状の支脚と、
前記ケース体と前記支脚とを前記背面に対して平行な軸回りに相対的に回動可能に連結しているヒンジ機構と、を有し、
前記支脚を前記ケース体に対して回動させることにより前記ケース体の外面から前記支脚を起こしたり倒したりすることが可能であり、前記支脚を起こした状態にすることにより、前記携帯情報端末を立てて使用するためのスタンドとして使用できるように構成した、携帯情報機器用ケース。
【請求項２】
前記ヒンジ機構が前記ケース体の前記携帯情報機器の重心と重なる位置に設けられている、請求項１の携帯情報機器用ケース。
【請求項３】
前記ケース体には、前記支脚を倒した状態で収容するための凹部が形成されている、請求項１又は２の携帯情報機器用ケース。
【請求項４】
前記ヒンジ機構は、前記ケース体と前記支脚とを前記背面に対して平行な第１軸回り及び前記背面に対して垂直な第２軸回りに相対的に回動可能に連結している二軸ヒンジ機構である、請求項１〜３のいずれかの携帯情報機器用ケース。
【請求項５】
前記支脚は、その内径寸法が使用者の手の指に遊嵌し得る寸法に選定されている、請求項１〜４のいずれかの携帯情報機器用ケース。
【請求項６】
前記支脚の外周部に、クリスタルガラス、宝石又は金属による装飾が施されている、請求項５の携帯情報機器用ケース。
【発明の詳細な説明】
【技術分野】
【０００１】
本発明は、携帯音楽プレーヤ、携帯情報端末、携帯テレビ受像器等、携帯情報機器に装着されるケースに関する。
【背景技術】
【０００２】
携帯情報機器をダッシュボードやデスクに立てて使用するためのスタンドは公知である（特許文献１、２、３参照）。
携帯情報機器を衝撃から保護するためのケースは公知である（特許文献４、５参照）。
【先行技術文献】
【特許文献】
【０００３】
【特許文献１】特開２００７−０９６５７２号公報
【特許文献２】意匠登録１１６７３４２号公報
【特許文献３】意匠登録１１６７３４２号公報
【特許文献４】特開２００３−１１０６７９号公報
【特許文献５】特開２００７−１６６２４３号公報
【発明の概要】
【発明が解決しようとする課題】
【０００４】
従来の携帯情報機器用スタンドは、携帯情報機器を専ら車内や屋内で使用するためのものであり、携帯情報機器と共に携帯するものではない。
従来の携帯情報機器用ケースは、携帯情報機器のスタンドとして使用することができない。
本発明が解決しようとする課題は、携帯性を損なうことなく必要なときにスタンドとして使用することができる携帯情報機器用ケースを提供することにある。
【課題を解決するための手段】
【０００５】
上記課題を解決するために、本発明の携帯情報機器用ケースは、正面に表示部を有する携帯情報機器に着脱可能に装着されるケースであって、前記携帯情報機器の少なくとも背面を覆うケース体と、前記ケース体にその一方の端部が連結されたリング状の支脚と、前記ケース体と前記支脚とを前記背面に対して平行な軸回りに相対的に回動可能に連結しているヒンジ機構と、を有し、前記支脚を前記ケース体に対して回動させることにより前記支脚を前記ケース体の外面から起したり倒したりすることが可能であり、前記支脚を起こした状態にすることにより、前記携帯情報端末を立てて使用するためのスタンドとして使用できるように構成したものである。
【０００６】
本発明の携帯情報機器用ケースにおいて、前記ヒンジ機構は、前記ケース体の前記携帯情報機器の重心と重なる位置に設けられていることが望ましい。
前記ケース体には、前記支脚を倒した状態で収容するための凹部が形成されていることが望ましい。
前記ヒンジ機構は、前記ケース体と前記支脚とを前記背面に対して平行な第１軸回り及び前記背面に対して垂直な第２軸回りに相対的に回動可能に連結している二軸ヒンジ機構であることが望ましい。
前記支脚は、その内径寸法が使用者の手の指に遊嵌し得る寸法に選定されていることが望ましい。
前記支脚の外周部に、クリスタルガラス、宝石又は金属による装飾が施されていることが望ましい。
【発明の効果】
【０００７】
本発明の携帯情報機器用ケースは、支脚を起こせば携帯情報機器の簡易スタンドとして使用でき、支脚を倒せばコンパクトな状態に折り畳んで携帯できる。
【図面の簡単な説明】
【０００８】
【図１】本発明の最良の実施の形態を例示する斜視図
【図２】図１に示すケースの使用態様を例示する斜視図
【図３】図１に示すケースの使用態様を例示する斜視図
【図４】図１に示すケースの内側の構造を示す平面図
【図５】図１に示すケースの使用態様を例示する斜視図
【図６】本発明の別の最良の実施の形態を例示する斜視図
【図７】携帯情報端末の斜視図
【発明を実施するための形態】
【０００９】
以下、本発明の実施形態について説明する。
図１は本出願に係る発明の最良の実施の形態を示す斜視図である。
図１に示す携帯情報機器用ケース（以下、単にケースと記す。）１は、図７に示す携帯情報端末２１に着脱可能に装着される保護用兼装飾用のケースである。
【００１０】
携帯情報端末２１は、端末本体２２の正面２２ａに長方形の表示部２３を有している。端末本体２２の形状は、その周縁部に丸みを有する偏平な略直方体形状である。端末本体２２の正面２２ａは平坦面であり、その大部分が表示部２３の領域になっている。一方、端末本体２２の背面は、その中央部を含む大部分が平坦面になっており、その平坦な部分よりも外側の部分が滑らかな曲面で構成されている。端末本体２２の正面２２ａの一方の端部には操作ボタン２４が、他方の端部には受話口２５がそれぞれ設けられている。端末本体２２の操作ボタン２４が設けられている側の端部中央にはコネクタ２６が設けられており、その左右両側にマイク２７Ｌ、２７Ｒとスピーカ２８Ｌ、２８Ｒがそれぞれ設けられている。また、端末本体２２の側部にはサイレンサスイッチ２９やボリュームキー３０等が設けられている。
この携帯情報端末２１は、コンピュータ、メディア再生機、ゲーム機、メディアストレージデバイス、パーソナルデジタルアシスタント（ＰＤＡ）、通信機器（例えば携帯電話、インターネットブラウジングデバイス、ＧＰＳナビゲーションデバイス）、として利用できる。表示部２３はタッチスクリーン機能を有しており、表示部２３にタッチすることで携帯情報端末２１の各種操作を行うことができる。
【００１１】
ケース１は、携帯情報端末２１の少なくとも背面を覆うケース体２と、ケース体２にその一方の端部が連結されたリング形状の支脚３と、ケース体２と支脚３とを携帯情報端末２１の背面（平坦な部分）に対して平行な第１軸（Ａ１）回り及び当該背面に対して垂直な第２軸（Ａ２）回りに相対的に回動可能に連結する二軸ヒンジ機構４と、を有している。
【００１２】
ケース体２は、携帯情報端末２１の背面を覆う部分（以下、ケース体背面部と記す。）５と、携帯情報端末２１の周縁部にこれを覆うようにして嵌合する部分（以下、ケース体周縁部と記す。）６とからなる。ケース体周縁部６には、このケース１を携帯情報端末２１に装着したときに、マイク２７Ｌ、２７Ｒ、スピーカ２８Ｌ、２８Ｒ、サイレンサスイッチ２９、ボリュームキー３０等と干渉しないように、所々に切欠部７が形成されている（図４参照）。
【００１３】
二軸ヒンジ機構４は、ケース体背面部５の携帯情報機器２１の重心と重なる位置に設けられている。ケース１と支脚３の第１軸（Ａ１）回りの相対回動可能範囲は９０°であり、第１軸（Ａ１）回りにおける回動角度が０°（支脚３を完全に倒した状態）と９０°（支脚３を完全に起こした状態）のときにその姿勢が自律保持されるようになっている。また、第２軸（Ａ２）回りの両者の相対回動可能範囲は３６０°であり、９０°毎にその姿勢が自律保持されるようになっている。
【００１４】
ケース体背面部５には、支脚３を倒した状態で収容するための凹部８が形成されている。凹部８の深さ寸法は、支脚３を収容した状態において支脚３の側面がケース体背面部５から若干突出する程度の寸法に選定されている。
【００１５】
支脚３は、その内径寸法が使用者の手の指Ｆに遊嵌し得る寸法に選定されている。支脚３の外周部は金属メッキによる金属光沢の装飾９が施されている。
【００１６】
上記のように構成されたケース１は、支脚３をケース体２に対して第１軸（Ａ１）回りに回動させることにより支脚３を起した状態（図１（ｂ）、（ｃ）に例示する状態）にしたり、倒した状態（図１（ａ）に示す状態）にしたりすることが可能であり、支脚３を起こした状態にすることにより、図２及び図３に示すように、携帯情報端末２１を斜めに立てて使用するための簡易スタンドとして使用できる。支脚３を起した状態で、支脚３を第２軸（Ａ２）回りに９０°回動させることにより、携帯情報端末２１の設置角度を調節することができる。ケース体２と支脚３とを連結している二軸ヒンジ機構４がケース体背面部５の携帯情報機器２１の重心と重なる位置に設けられているので、簡易スタンドとしての使用時に、携帯情報機器２１を支脚３で安定に支えることができる。また、スタンドとして使用しない時には支脚３を倒してコンパクトに折り畳たたむことができるので、携帯性が良い。
【００１７】
また、このケース１によれば、その支脚３の形状がリング形状であり、支脚３の内径寸法が使用者の手の指Ｆに遊嵌し得る寸法に選定されているので、図５に示すように、支脚３に指を通した状態で携帯情報端末２１を片手で持って使用することができる。この使用態様によれば、携帯情報端末２１を使用者の手に連結した状態で使用することができる。これにより、携帯情報端末２１の片手持ち状態での使用中に、不意に手が滑って携帯情報端末２１を落としてしまうといった事故を防止できる。また、携帯情報端末２１の片手持ち状態での使用中にさほど握力を使用しないで済むので、使用者の疲労を軽減できる。また、支脚３の外周部に金属メッキによる金属光沢の装飾９が施されているので、支脚３に指を通して使用している時に、金属の指輪をしているような美的外観を呈する。
【００１８】
なお、上記の例では、支脚３の外周部に金属メッキによる金属光沢の装飾が施されているが、図６に例示するように、クリスタルガラスや宝石による装飾９を支脚３に施してもよい。また、支脚３そのものの材料に金属を使用し、その表面に光沢仕上げあるいはマット仕上げを施してもよい。
【符号の説明】
【００１９】
１  ケース
２  ケース体
３  支脚
４  二軸ヒンジ機構
８  凹部
９  装飾
２１  携帯情報端末
２２  端末本体
２２ａ  正面
２３  表示部
Ａ１  第１軸
Ａ２  第２軸
Ｆ  指
【図１】
2010268237.tif 000003
【図２】
2010268237.tif 000004
【図３】
2010268237.tif 000005
【図４】
2010268237.tif 000006
【図５】
2010268237.tif 000007
【図６】
2010268237.tif 000008
【図７】
2010268237.tif 000009